(57)【特許請求の範囲】
【請求項１】
上面に光学部品収納用凹所を備えた収納領域、及び該収納領域の外周縁から外側に張り出した張出し領域を有した薄板材から成る第１のケースと、該第１のケース上に積層される第２のケースと、を備えた光学部品梱包ケースにおいて、
前記収納領域と前記張出し領域との間に、該張出し領域の下方への変形による応力が前記収納領域に直接伝搬することを防止するダンパー領域を設け、
前記ダンパー領域は、前記収納領域と前記張出し領域との間の第１のケース部分を、少なくとも上方に突出させた突部、或は下方に凹ませた凹陥部であり、
前記突部、又は前記凹陥部の縦断面形状は矩形、三角形、又は台形であることを特徴とする光学部品梱包ケース。
【請求項２】
上面に光学部品収納用凹所を備えた収納領域、及び該収納領域の外周縁から外側に張り出した張出し領域を有した薄板材から成る第１のケースと、該第１のケース上に積層される第２のケースと、を備えた光学部品梱包ケースにおいて、
前記収納領域と前記張出し領域との間に、該張出し領域の下方への変形による応力が前記収納領域に直接伝搬することを防止するダンパー領域を設け、
前記ダンパー領域は、前記収納領域と前記張出し領域との間の第１のケース部分を、少なくとも上方に突出させた突部、或は下方に凹ませた凹陥部であり、
前記突部の上面の形状、又は凹陥部の底面形状は、湾曲形状であることを特徴とする光学部品梱包ケース。
【発明の詳細な説明】
【技術分野】
【０００１】
本発明は、光学部品を十分な緩衝性を確保しつつ方向性よく整列保持して、次工程、或いはアッセンブリメーカーに提供することを可能とした光学部品梱包ケースの改良に関し、特に梱包ケース開放時におけるケースの変形によって収納した光学部品が脱落したり収納方向が変化する不具合を防止できる光学部品梱包ケースに関する。
【背景技術】
【０００２】
光ピックアップ、その他の光学装置に使用される光学部品としてのビームスプリッタやプリズム等の光学部品は、小型化の要請によって数ｍｍ角の微小寸法に構成されているが、サイズの大小を問わず、光学部品は衝撃による損傷や、ゴミ等の異物付着による不良品化を防止するために、その取扱いには最大限の配慮が必要である。例えば、光学部品メーカーが製造した光学部品をアッセンブリメーカー側に運搬する場合には、運搬中に衝撃や振動が加わった場合の耐衝撃性、ゴミ等の付着防止等を考慮した梱包ケースが用いられ、この種の梱包ケースは従来から種々提案されている。
【０００３】
特許文献１には、樹脂等からなる薄板によって形成した梱包搬送トレーが開示されており、このトレー１００は図８（ａ）（ｂ）の概略平面図、及び縦断面図に示すように、凹状の収納部１０２を多数配置した収納領域１０１と、収納領域１０１の外周縁から外側に張り出した張出し領域１１０と、を備えている。各収納部１０２内に光学部品１１５を収納して梱包する際にはこのトレー上に蓋部材１２０を被せて内部を気密化する。
【０００４】
蓋部材１２０により封止された梱包搬送トレー１００を開放する場合には、図８（ｃ）に示すように張出し領域１１０の端部を指等によって下側へめくる操作を行うが、張出し領域１１０が収納領域１０１の外周縁と直結しているため、張出し領域１１０の一部を下方に変形させると、その変形は直ちに内側に位置する収納領域１０１上の収納部１０２に伝搬し、鎖線で示すように収納部１０２を構成する薄板材までも下方に退避変形してしまう。このため、収納部１０２内の光学部品１１５が外部に脱落し易かった。また、特定の光学面や非光学面の方向や位置を外観上から判別できない光学部品を収納部１０２内に収納する際には、予め全ての光学部品が同じ方向、同じ姿勢となるように収納することにより、光学部品をトレーから取り出す際に、光学部品の光学面、或いは非光学面の位置、方向を容易に確認できるようにするのが一般であるが、収納部１０２が変形すると、収納されている光学部品の方向が変化してしまい、光学部品を取出してから実機に組み付ける際に組み付け方向を誤ってしまうという事態が生じる。
【特許文献１】特開２００５−２２６７０公報
【発明の開示】
【発明が解決しようとする課題】
【０００５】
このように、下ケース側の収納用凹所上に光学部品を収納してから上ケースにより蓋をするタイプの光学部品梱包ケースにおいては、下ケースの外周に張り出した張出し領域を下方に撓ませることによってケースを開放する必要があった。このため、張出し領域と直結した収納用凹所が下方に撓んで変形し、収納された光学部品が脱落したり、収納方向、収納姿勢を変化させるという問題があった。つまり、従来の梱包ケースは外周縁部の変形が内側の収納凹所に作用し易かった。
【０００６】
本発明は上記に鑑みてなされたものであり、下ケース側の収納用凹所上に光学部品を収納してから上ケースにより蓋をするタイプの光学部品梱包ケースを開放する際に、下ケースの外周縁部に設けた張出し領域を下方に変形させる操作を行ったとしても、張出し領域の変形が直ちに収納凹所側へ伝達されないように構成することにより、光学部品の脱落と方向の変化を防止するようにした光学部品梱包ケースを提供することを目的としている。
【課題を解決するための手段】
【０００７】
上記課題を解決するため、本発明に係る光学部品梱包ケースは、上面に光学部品収納用凹所を備えた収納領域、及び該収納領域の外周縁から外側に張り出した張出し領域を有した薄板材から成る第１のケースと、該第１のケース上に積層される第２のケースと、を備えた光学部品梱包ケースにおいて、前記収納領域と前記張出し領域との間に、該張出し領域の下方への変形による応力が前記収納領域に直接伝搬することを防止するダンパー領域を設け、前記ダンパー領域は、前記収納領域と前記張出し領域との間の第１のケース部分を、少なくとも上方に突出させた突部、或は下方に凹ませた凹陥部であり、前記突部、又は前記凹陥部の縦断面形状は矩形、三角形、又は台形であることを特徴とする。
【０００８】
梱包ケースを開放した内部の収納用凹所内に収容された光学部品を取り出す際に、下側に位置する第１のケースの外周縁から張り出した張出し部を下方へ変形させた場合にダンパー領域が変形による応力を吸収緩和するため、収納用凹所が変形して光学部品の脱落や収納方向の変化等が起きることがないので、梱包ケースから取り出した光学部品を次工程に用いたり、実機に搭載する際における方向性を誤ることがなくり、ダンパー領域は、少なくとも板材から成る第１のケースの一部を上方に屈曲させたり、湾曲させることによって形成した中空の突部であるため変形し易くなっているか、或は板材から成る第１のケースの一部を下方に屈曲させたり、湾曲させることによって形成した凹陥部であるので、変形し易くなっており、張出し領域から伝搬される変形による応力をいち早く吸収緩和し、第１のケースの一部を矩形、三角形、台形等の形状に加工することにより突部、或は凹陥部が形成されているので、突部の外側の裾部から入来する応力はその上面、或いは内側の裾部に伝搬される過程で減衰し、収納用凹所には応力による悪影響が及ばなくなる。
【０００９】
また、本発明に係る光学部品梱包ケースは、上面に光学部品収納用凹所を備えた収納領域、及び該収納領域の外周縁から外側に張り出した張出し領域を有した薄板材から成る第１のケースと、該第１のケース上に積層される第２のケースと、を備えた光学部品梱包ケースにおいて、前記収納領域と前記張出し領域との間に、該張出し領域の下方への変形による応力が前記収納領域に直接伝搬することを防止するダンパー領域を設け、前記ダンパー領域は、前記収納領域と前記張出し領域との間の第１のケース部分を、少なくとも上方に突出させた突部、或は下方に凹ませた凹陥部であり、前記突部の上面の形状、又は凹陥部の底面形状は、湾曲形状であることを特徴とする。
【００１０】
梱包ケースを開放した内部の収納用凹所内に収容された光学部品を取り出す際に、下側に位置する第１のケースの外周縁から張り出した張出し部を下方へ変形させた場合にダンパー領域が変形による応力を吸収緩和するため、収納用凹所が変形して光学部品の脱落や収納方向の変化等が起きることがないので、梱包ケースから取り出した光学部品を次工程に用いたり、実機に搭載する際における方向性を誤ることがなくり、ダンパー領域は、少なくとも板材から成る第１のケースの一部を上方に屈曲させたり、湾曲させることによって形成した中空の突部であるため変形し易くなっているか、或は板材から成る第１のケースの一部を下方に屈曲させたり、湾曲させることによって形成した凹陥部であるので、変形し易くなっており、張出し領域から伝搬される変形による応力をいち早く吸収緩和し、突部の上面、及び凹陥部の底面を湾曲させた構造とすることにより、湾曲部が弾性変形することによって応力の伝搬防止機能を高めることができる。
【発明を実施するための最良の形態】
【００１２】
以下、本発明を図面に示した実施の形態により詳細に説明する。
図１（ａ）は本発明の一実施形態に係る光学部品梱包ケースを構成する第１のケース（下ケース）の構成を示す平面図、（ｂ）は第１のケース上に第２のケースを被せた状態の縦断面図、（ｃ）は梱包ケースを開放している状態を示す縦断面図である。
この梱包ケース１は、上面に光学部品収納用凹所４を備えた収納領域３、及び収納領域３の外周縁の少なくとも一部から外側に張り出した平板状の張出し領域１０を有し且つ樹脂等の薄板材から成る第１のケース２と、第１のケース２上に積層されることにより収納領域３を覆う収納領域被覆領域２２、及び張出し領域１０の上面に積層して密着する張出し領域被覆領域２３を有した第２のケース２１と、を備えている。
この梱包ケース１は、第１のケース２の収納領域３と張出し領域１０との間に、張出し領域１０の下方への変形による応力を、収納領域３に伝達させて収納用凹所４を変形させることを防止するダンパー領域３０を設けた構成が特徴的である。
【００１３】
図１に示したダンパー領域３０は、上面に平坦な上面３１ａを有した略矩形凸状、或いは台形凸状の突部３１であり、薄板材を上方に突設させた中空体である。従って、突部３１は張出し領域１０の変形による影響を直接受けやすく、しかも変形応力によって直ちに変形し易い形状、構造を有している。即ち、突部３１は張出し領域１０の一部が下方へ変形したときにいち早く変形による応力を受けて自ら弾性変形し易い構成を備えている。この例では、突部３１の上面３１ａの高さ位置が収納領域３の最上面よりも高く設定されているため、張出し領域１０の変形による応力が収納領域３まで伝搬しにくくなっている。
【００１４】
このように突部３１は、図１（ｃ）に示すように第１のケース２の張出し領域１０を下方に退避変形させた場合における張出し領域１０の変形箇所からの変形応力を直接受けていち早く変形するように構成されている。従って、張出し領域１０の変形箇所の下方への変形に伴って突部３１の外側の裾部３１ｂ、或いは、裾部３１ｂ及び上面３１ａが下方へ変形するため、収納領域３を構成する板材、特に収納用凹所４を構成する板材には変形による応力が伝搬しない。或いは、内側の裾部３１ｃまで張出し領域１０の局部の変形応力が伝搬しても、収納用凹所４には伝搬しないように構成されている。従って、収納用凹所４の変形によって収納用凹所内の光学部品Ａが脱落したり、収納方向や姿勢が変化するという不具合を防止できる。
なお、突部３１の内側の裾部３１ｃと最外部に位置する収納用凹所４との間に所要幅を有した平坦面（或いは後述する凹凸部等）３１ｄを設けておくことにより更に緩衝機能を発揮することが可能となる。
【００１５】
なお、図１（ａ）の平面図ではダンパー領域３０を収納領域３の全周に亘って連続的に延在させているが、周方向に沿って断続的に配置してもよいし、或いは収納領域外周の一部にダンパー領域３０を設けても良い。この例では、第１のケース２の左右両端縁にめくるための取手が設けられているため、ダンパー領域３０はこの取手と対応する左右両端縁にのみ設けても良い。なお、ダンパー領域３０の配置範囲に関するこの構成は、以下の全ての実施形態に当てはまる。
第２のケース２１は、第１のケース２の上面に組み付けられることによって収納領域３を密閉するための手段であるため、収納領域被覆領域２２は光学部品Ａを収容した収納領域３の上面を覆うように構成されている一方で、張出し領域被覆領域２３は張出し領域１０の上面に密着可能な構成を有する。更に、ダンパー領域３０を被覆する部分はダンパー領域３０の外形状に対応した形状を有している。
【００１６】
次に、図２（ａ）（ｂ）及び（ｃ）は何れも本発明の第２の実施形態に係るダンパー領域３０の構成を示す要部縦断面図である。薄板材を上方に突出させた中空の突部３１の上面は、図１のように平坦面である必要はなく、例えば図２（ａ）に示すように上面が円弧状であってもよいし、（ｂ）に示すように上面が三角形状であってもよいし、或いは（ｃ）に示すように突部３１の全体が三角形状、その他の形状であってもよい。
図２（ａ）（ｂ）及び（ｃ）に夫々示した各突部形状を備えたダンパー領域３０にあっては、張出し領域１０を鎖線で示したように下方へ撓ませた際の変形による応力が収納領域３内の収納用凹所４内に伝搬して光学部品Ａの脱落等の不具合をもたらすことがない。
【００１７】
次に、図３（ａ）（ｂ）及び（ｃ）は何れも本発明の第３の実施形態に係るダンパー領域３０の構成を示す要部縦断面図である。図３（ａ）のダンパー領域３０は、矩形の突部３１の平坦な上面３１ａの全面又は一部に緩衝力増強のための細かいジグザグ状の凹凸部３２を設けた構成が特徴的である。図１、図２のように突部３１のみを設けた場合に比して、細かい凹凸部３２を付加した場合には、凹凸部３２が張出し領域１０の下方への変形による応力をより多く吸収緩和して収納用凹所４への伝搬を阻止する。なお、円弧状の上面３１ａに凹凸部３２を設けても良い。図３（ｂ）は両裾部３１ｂ、３１ｃがテーパ状に広がった形状の突部３１の上面に鋭角状（又は、鈍角状）の凹凸部３２を連続形成している。図３（ａ）に示したジグザグ状の凹凸部であってもよい。図３（ａ）の凹凸部３２を構成する山部と谷部は鋭角状（又は鈍角状）であるが、矩形の山部と谷部を連続させた凹凸部３２としてもよいし、或いは円弧状の山部と谷部を連続させた凹凸部３２としてもよい。図３（ｃ）のダンパー領域３０は（ｂ）における谷部をより深くした構成が特徴的である。
【００１８】
図３（ａ）（ｂ）及び（ｃ）に夫々示した各突部形状を備えたダンパー領域３０にあっては、張出し領域１０を鎖線のように下方へ撓ませた際の変形による応力が収納領域３内の収納用凹所４内に伝搬して光学部品Ａの脱落等の不具合をもたらすことがない。特に、突部３１の上面に格別の緩衝作用を発揮する凹凸部３２を設けたので、凹凸部３２による応力の吸収緩和効果が発揮され、ダンパー領域３０全体としての緩衝作用を更に高めることができる。即ち、内側の裾部３１ｃの外側に弾性変形が容易な構造を備えた凹凸部３２が存在するため、外側の裾部３１ｂからの変形応力の大半が凹凸部３２により吸収緩和され、内側の裾部３１ｃ、更には収納領域に伝搬されることがなくなる。
【００１９】
次に、図４（ａ）（ｂ）及び（ｃ）は何れも本発明の第４の実施形態に係るダンパー領域３０の構成を示す要部縦断面図である。図４（ａ）のダンパー領域３０は、矩形の突部３１の平坦な上面３１ａの中央部に緩衝力増強のための三角形状の小突起３３を一個設けた構成が特徴的である。また、（ｂ）はこの小突起３３を所定の間隔をおいて２個以上設けた構成が特徴的である。また、（ｃ）は三角形状の突起ではなく矩形の小突起３３を一つ、或いは複数個設けた構成が特徴的である。或いは、小突起３３は断面形状が円弧状の突起であってもよい。なお、図示しない円弧状に突出した上面３１ａに小突起３３を設けても良い。
【００２０】
図４（ａ）（ｂ）及び（ｃ）に夫々示した各突部及び各小突起形状を備えたダンパー領域３０にあっては、張出し領域１０を鎖線で示すように下方へ撓ませた際の変形による応力が収納領域３内の収納用凹所４内に伝搬して光学部品Ａの脱落等の不具合をもたらすことがない。特に、突部３１の上面に格別の緩衝作用を発揮する小突起３３を設けたので、小突起３３が弾性的に変形することにより張出し領域からの変形応力を吸収緩和し、ダンパー領域３０の全体としての緩衝作用を高めることができる。即ち、内側の裾部３１ｃの外側に弾性変形が容易な構造を有した小突起３３が存在するため、外側の裾部３１ｂからの変形応力の大半が小突起３３により吸収緩和され、内側の裾部３１ｃ、更には収納領域に伝搬されることがなくなる。
【００２１】
次に、図５（ａ）乃至（ｅ）は、何れも本発明の第５の実施形態に係るダンパー領域３０の構成を示す要部縦断面図である。図５（ａ）のダンパー領域３０は、突部３１の上面に緩衝力増強用の凹溝３５を設けた構成が特徴的である。この凹溝３５は上面３１ａ全体を湾曲状に凹ませたものであるが、（ｂ）のように矩形の浅い凹溝３５としてもよいし、（ｃ）のように矩形の深い凹溝３５としてもよい。更に、（ｄ）のようにＶ溝状の凹溝３５としてもよいし、（ｅ）のように円弧状の凹溝３５としてもよい。上面３１ａ上に設ける各凹溝３５の深さ、形状、個数は種々選定可能である。図５（ｂ）乃至（ｃ）では平坦な上面３１ａに凹溝３５を設けた例を示したが、図示しない円弧状に突出した上面の一部に凹溝３５を設けても良い。
【００２２】
図５に示した各突部及び各凹溝形状を備えたダンパー領域３０にあっては、張出し領域１０を鎖線で示すように下方へ撓ませた際の変形による応力が収納領域３内の収納用凹所４内に伝搬して光学部品Ａの脱落等の不具合をもたらすことがない。特に、突部３１の上面に格別の緩衝作用を発揮する凹溝３５を設けたので、ダンパー領域３０の全体としての緩衝作用を高めることができる。即ち、内側の裾部３１ｃの外側に弾性変形が容易な構造を有した凹溝３５が存在するため、外側の裾部３１ｂからの変形応力の大半が凹溝３５により吸収緩和され、内側の裾部３１ｃ、更には収納領域に伝搬されることがなくなる。
【００２３】
次に、図６（ａ）乃至（ｄ）は本発明の第６の実施形態に係るダンパー領域の構成を示す要部断面図である。第６の実施形態の各構成例に係るダンパー領域３０が上記各実施形態のダンパー領域と異なる点は、上方へ突出した突部３１の代わりに、下方へ突出した凹陥部４０を設けた点にある。
即ち、図６（ａ）は張出し領域１０と収納領域３との間に矩形の深い凹陥部４０を一つ設けた構成が特徴的である。なお、図示しないが、凹陥部４０の形状を台形状、或いは円弧状に構成してもよい。（ａ）の凹陥部４０の底面に図３（ａ）、或いは図３（ｂ）に示した如き凹凸部や、図４（ａ）（ｂ）及び（ｃ）に示した小突起３３の如き緩衝部を設けても良い。板材を下方へ突出加工した中空状の凹陥部４０は、張出し領域１０が下方へ変形したときにその応力の伝搬を受けていち早く下方に弾性変形することにより応力を吸収緩和するように構成されている。
また、図６（ｂ）のように幅の狭い矩形の凹陥部４０を複数個連続配置してもよい。また、（ｃ）のダンパー領域３０は、張出し領域１０と収納領域３との間に三角形状の深い凹陥部４０を一つ設けた構成が特徴的である。（ｄ）のように幅の狭い三角形の凹陥部を複数個連続配置してもよい。
【００２４】
図６（ａ）乃至（ｄ）に夫々示した各凹陥部形状を備えたダンパー領域３０にあっては、張出し領域１０を下方へ撓ませた際の変形による応力が収納領域３内の収納用凹所４内に伝搬して光学部品Ａの脱落等の不具合をもたらすことがない。特に、張出し領域１０と収納領域３との間に格別の緩衝作用を発揮する凹陥部４０を設けたので、ダンパー領域３０の全体としての緩衝作用を高めることができる。また、凹陥部４０内により弾性変形し易い形状を有した小突起や凹凸部を設けることにより、応力の吸収緩和効果を更に増強することができる。
【００２５】
次に、図７（ａ）及び（ｂ）は本発明の第７の実施形態に係るダンパー領域の構成を示す要部断面図である。第７の実施形態の各構成例に係るダンパー領域３０が上記各実施形態のダンパー領域と異なる点は、突部３１や凹陥部４０を設ける代わりに、張出し領域１０と収納領域３との間の平坦面に細かいジグザグ状の凹凸部４５を設けた点にある。図７（ａ）の凹凸４５は、鋭角状、或いは鈍角状の三角形状の山部と谷部から成っており、（ｂ）の凹凸部４５は円弧状の三角形状の山部と谷部から成っている。
図７に示した各突部及び各凹陥部形状を備えたダンパー領域３０にあっては、張出し領域１０を下方へ撓ませた際の変形による応力が収納領域３内の収納用凹所４内に伝搬して光学部品Ａの脱落等の不具合をもたらすことがない。特に、張出し領域１０と収納領域３との間に格別の緩衝作用を発揮する凹凸部４５を設けたので、ダンパー領域３０の全体としての緩衝作用を高めることができる。即ち、張出し領域１０と収納領域３との間に、弾性変形が容易な構造を有した凹凸部４５が存在するため、張出し領域１０からの変形応力の大半が凹凸部４５により吸収緩和され、内側の収納領域３に伝搬されることがなくなる。
【００２６】
以上のように本発明の各実施形態に係る光学部品梱包ケースによれば、第１のケース２（下ケース）の外周縁部に設けた張出し領域１０を下方に変形させる操作を行ったとしても、張出し領域１０の変形が直ちに収納用凹所４側へ伝達されないように構成したので、光学部品の脱落と方向の変化を防止することができる。従って、次工程、或いはアッセンブリメーカーにおいて梱包ケースを開放した時に、ケースの変形によって収納した光学部品が脱落したり光学部品の収納方向が変化する不具合を防止できる。
【図面の簡単な説明】
【００２７】
【図１】（ａ）は本発明の一実施形態に係る光学部品梱包ケースを構成する第１のケース（下ケース）の構成を示す平面図、（ｂ）は第１のケース上に第２のケースを被せた状態の縦断面図、（ｃ）は梱包ケースを開放している状態を示す縦断面図である。
【図２】（ａ）（ｂ）及び（ｃ）は本発明の第２の実施形態に係るダンパー領域の構成を示す要部縦断面図である。
【図３】（ａ）（ｂ）及び（ｃ）は本発明の第３の実施形態に係るダンパー領域の構成を示す要部縦断面図である。
【図４】（ａ）（ｂ）及び（ｃ）は本発明の第４の実施形態に係るダンパー領域の構成を示す要部縦断面図である。
【図５】（ａ）乃至（ｅ）は本発明の第５の実施形態に係るダンパー領域の構成を示す要部縦断面図である。
【図６】（ａ）乃至（ｄ）は本発明の第６の実施形態に係るダンパー領域の構成を示す要部断面図である。
【図７】（ａ）及び（ｂ）は本発明の第７の実施形態に係るダンパー領域の構成を示す要部断面図である。
【図８】（ａ）及び（ｂ）は従来のトレーの概略平面図、及び縦断面図であり、（ｃ）はその欠点を説明するための断面図である。
【符号の説明】
【００２８】
１…梱包ケース、２…第１のケース、３…収納領域、４…収納用凹所、１０…張出し領域、２１…第２のケース、２２…収納領域被覆領域、２３…領域被覆領域、３０…ダンパー領域、３１…突部、３１ａ…上面、３１ｂ…裾部、３１ｃ…裾部、３２…凹凸部、３３…小突起、３５…凹溝、４０…凹陥部、４５…凹凸、４５…凹凸部。
【図１】
0004424316.tif 000002
【図２】
0004424316.tif 000003
【図３】
0004424316.tif 000004
【図４】
0004424316.tif 000005
【図５】
0004424316.tif 000006
【図６】
0004424316.tif 000007
【図７】
0004424316.tif 000008
【図８】
0004424316.tif 000009